(57)【要約】      （修正有）【課題】外側にまで水分を浸透させることなく、かつ安価で多彩な絵柄を提供することができるおむつを提供すること。【解決手段】おむつは、肛門及び陰部側に設けられており、水分を浸透させることができる素材からなる内側部２と、内側部２の外側に設けられた外側部３と、内側部２と外側部３との間に設けられており、少なくとも肛門及び陰部周辺における外側部３の縁辺部分と接合されている中間部１１と、少なくとも肛門及び陰部周辺における内側部２の縁辺部分において、内側部２と接合されていると共に、外側部３又は中間部１１と接合しており、かつ、縁辺部分で内側部２と外側部３とが直接接触しないような幅を有する縁辺間隙部４ｂとを備え、中間部１１及び縁辺間隙部４ｂは、非浸透性素材から形成される。【選択図】図４
0003166011.tif 000002
【実用新案登録請求の範囲】
【請求項１】
再利用可能なおむつであって、
肛門及び陰部側に設けられており、水分を浸透させることができる素材からなる内側部と、
前記内側部の外側に設けられた外側部と、
前記内側部と前記外側部との間に設けられており、少なくとも前記肛門及び前記陰部周辺における前記外側部の縁辺部分と接合されている中間部と、
少なくとも前記肛門及び前記陰部周辺における前記内側部の縁辺部分において、前記内側部と接合されていると共に、前記外側部又は前記中間部と接合しており、かつ、当該縁辺部分で前記内側部と前記外側部とが直接接触しないような幅を有する縁辺間隙部と、
前記外側部及び前記中間部の少なくとも一部を身体の前後方向に絞り込むための絞り込み手段とを備え、
前記中間部及び前記縁辺間隙部は、非浸透性素材から形成されることを特徴とする、おむつ。
【請求項２】
前記絞り込み手段は、
前記外側部又は前記中間部に設けられた少なくとも一つの縦長管状部と、
前記縦長管状部の一端側に設けられた止め部材と、
前記縦長管状部に通された縦長状部材とを含み、
前記縦長状部材は、前記止め部材で係止可能な複数の係止部を有することを特徴とする、請求項１に記載のおむつ。
【請求項３】
前記外側部は、綿製であることを特徴とする、請求項１又は２に記載のおむつ。
【請求項４】
前記中間部と前記縁辺間隙部とは、同一の生地から形成されることを特徴とする、請求項１〜３のいずれかに記載のおむつ。
【請求項５】
前記内側部と前記中間部との間に挿入された吸水パッドをさらに備えることを特徴とする、請求項１〜４のいずれかに記載のおむつ。
【請求項６】
前記内側部と前記中間部とは、前記吸水パッドを出し入れするために、一部が接合していない開口部を含むことを特徴とする、請求項５に記載のおむつ。
【請求項７】
前記吸水パッドは、前記内側部又は前記中間部に固定されて取り付けられていることを特徴とする、請求項５に記載のおむつ。
【請求項８】
さらに、前記内側部及び／又は前記外側部は、太ももに当たる箇所に伸縮自在なギャザー部を含み、
前記縁辺間隙部は、ギャザー状に形成されていることを特徴とする、請求項１〜７のいずれかに記載のおむつ。
【請求項９】
前記中間部は、さらに、透湿性を有することを特徴とする、請求項１〜８のいずれかに記載のおむつ。
【請求項１０】
前記縁辺間隙部で使用されている非浸透性素材と、前記中間部で使用されている非浸透性素材とは、相異なる素材であることを特徴とする、請求項１〜９のいずれかに記載のおむつ。
【請求項１１】
前記内側部、前記外側部、前記中間部、及び前記縁辺間隙部は、縫製可能な生地からなり、縫製によって接合されていることを特徴とする、請求項１〜１０のいずれかに記載のおむつ。
【考案の詳細な説明】
【技術分野】
【０００１】
本考案は、おむつに関し、より特定的には、再利用可能なおむつに関する。
【背景技術】
【０００２】
近年、使い捨ての紙おむつが普及している。しかし、ゴミの増加問題や自然志向、肌触りの観点などを背景に、再利用可能なおむつが見直されつつある。布おむつとよばれるおむつは、再利用可能なおむつの代表である。布おむつは、乳幼児の排泄物を吸収するために、綿などの素材によってできている。布おむつは、たとえば、長方形状である。乳幼児の臀部から陰部を覆うように布おむつをあてがうことによって、乳幼児の排泄物を布おむつに吸収させることができる。その際、布おむつがずれたり落下したりすることを防止するために、布おむつ自体を覆うように、乳幼児に履かせるためのおむつパンツが用いられる。また、近年では、たとえば、特許文献１に記載されているように、布おむつとおむつパンツとを一体化させたおむつも開発されている。
【０００３】
図９は、特許文献１に記載されているおむつ９０を示す図である。図９では、乳幼児の臀部及び陰部に接触する内側面が示されている。図１０は、図９におけるＡ−Ａ断面における構造を示す概略断面図である。おむつ９０は、略Ｔ字状の内側部９１と、内側部９１と略同一形状の外側部９２とを縫い合わせ、吸水パッド９４を内側部９１と外側部９２との間に挿入することによって構成される。
【０００４】
内側部９１は、水分を浸透することができる浸透性の素材（たとえば、綿素材）によってできている。外側部９２は、水分が浸透しないように、内側が非浸透素材９３でラミネートされている。内側部９１と外側部９２とは、縁辺部分が縫いつけられている。ただし、吸水パッド９４を出し入れするための開口部９４ａは、縫いつけられていない。おむつ９０は、雄スナップ９６を適当な位置の雌スナップ９７に取り付けることによって、乳幼児に取り付けられる。乳幼児の両内ももが接触する部分である内側部９１及び外側部９２の縁部９５ａ及び９５ｂには、伸縮自在なゴム９８ａ及び９８ｂが縫い込まれている。これによって、両足におむつ９０を密着させることができ、排泄物が飛び出ることを防止している。さらに、開口部９４ａにおける外側部９２の縁部９７にも、伸縮自在なゴム（図示せず）が縫い込まれている。これによって、胴部の大小に関係なく、おむつを腰に密着させることができる。
【０００５】
開口部９４ａを介して内側部９１と外側部９２との間に挿入された吸水パッド９４は、図９の点線で示すように、乳幼児の肛門及び陰部に対応する部分に設置される。排泄物の水分は、内側部９１に浸透し、さらに、吸水パッド９４にまで浸透する。しかし、外側部９２の内側は非浸透素材９３でラミネートされているので、おむつ９０の外側にまでは浸透しない。これによって、排泄物の水分が外側にまで浸透することが防止される。排泄物が吸収された後は、吸水パッド９４を交換したり、おむつ９０全体を交換する。吸水パッド９４及びおむつ９０は、洗濯することができるので、再利用可能なおむつが提供されることとなる。
【先行技術文献】
【特許文献】
【０００６】
【特許文献１】米国特許第６５７９２７３号明細書
【考案の概要】
【考案が解決しようとする課題】
【０００７】
このように、特許文献１に示されているおむつ９０は、外側部９２の内側が非浸透素材９３によってラミネートされている。しかし、非浸透素材によってラミネートされた生地は、高価であることに加えて、生産数が少ないので、絵柄の種類が少ない。そのため、多様な絵柄のおむつを安価に提供することができなかった。
【０００８】
図１１は、本考案者が試作したおむつ８０の断面構造の一部を示す図である。おむつ８０の全体形状は、図９と同様であり、図１１に示す断面構造は、図１１におけるＡ−Ａ断面の一部に相当する。おむつ８０は、様々な絵柄が存在する綿生地によって作られた外側部８１と、ナイロン生地などによって作られた防水部８２と、内側部８４とを含む。内側部８４と外側部８１とは、縁辺部分が糸８５で縫いつけられている。内側部８４と外側部８１との間に、吸水パッド８３が挿入される。このように、外側部８１と、防水部８２とを分離して別生地にし、内側部８４と縫い合わせることによって、特許文献１に示すように、高価な素材からなる外側部９２を用いなくても、水分が外側にまで浸透することを防止できるかのように思われる。
【０００９】
しかし、実際は、排泄物８６から染み出る水分は、図１１上の矢印に示すように、内側部８４を介して、外側部８１にまで浸透することとなる。これは、浸透素材からなる内側部８４及び外側部８１が、近接して縫い合わされているからである。このように、単純に、非浸透素材からなるラミネート部分を、非浸透生地に置き換えたとしても、外側にまで水分を浸透させないおむつが提供されない。
【００１０】
それゆえ、本考案の目的は、外側にまで水分を浸透させることなく、かつ安価で多彩な絵柄を提供することができるおむつを提供することである。
【課題を解決するための手段】
【００１１】
本考案は、上記のような目的を達成するために、以下に述べるような特徴を有している。本考案は、再利用可能なおむつであって、肛門及び陰部側に設けられており、水分を浸透させることができる素材からなる内側部と、内側部の外側に設けられた外側部と、内側部と外側部との間に設けられており、少なくとも肛門及び陰部周辺における外側部の縁辺部分と接合されている中間部と、少なくとも肛門及び陰部周辺における内側部の縁辺部分において、内側部と接合されていると共に、外側部又は中間部と接合しており、かつ、当該縁辺部分で内側部と外側部とが直接接触しないような幅を有する縁辺間隙部と、外側部及び中間部の少なくとも一部を身体の前後方向に絞り込むための絞り込み手段とを備え、中間部及び縁辺間隙部は、非浸透性素材から形成されることを特徴とする。
【００１２】
好ましくは、絞り込み手段は、外側部又は中間部に設けられた少なくとも一つの縦長管状部と、縦長管状部の一端側に設けられた止め部材と、縦長管状部に通された縦長状部材とを含み、縦長状部材は、止め部材で係止可能な複数の係止部を有するとよい。
【００１３】
好ましくは、外側部は、綿製であるとよい。好ましくは、中間部と縁辺間隙部とは、同一の生地から形成されるとよい。好ましくは、内側部と中間部との間に挿入された吸水パッドをさらに備えるとよい。好ましくは、内側部と中間部とは、吸水パッドを出し入れするために、一部が接合していない開口部を含むこととよい。また、吸水パッドは、内側部又は中間部に固定されて取り付けられていてもよい。好ましくは、さらに、内側部及び／又は外側部は、太ももに当たる箇所に伸縮自在なギャザー部を含み、縁辺間隙部は、ギャザー状に形成されているとよい。好ましくは、中間部は、さらに、透湿性を有するとよい。好ましくは、縁辺間隙部で使用されている非浸透性素材と、中間部で使用されている非浸透性素材とは、相異なる素材であるとよい。また、内側部、外側部、中間部、及び縁辺間隙部は、縫製可能な生地からなり、縫製によって接合されている。
【考案の効果】
【００１４】
このように、中間部及び縁辺間隙部を非浸透性素材から形成し、内側部と外側部とを直接接触させないように縁辺間隙部を設けることによって、内側部に浸透した水分が外側にまで浸透することを遮断することができる。さらに、中間部と外側部とを別な部材にすることによって、外側部に、安価で絵柄が多数存在する生地を使用することができる。よって、外側にまで水分を浸透させることなく、かつ安価で多彩な絵柄を提供することができるおむつが提供される。さらに、本考案では、絞り込み手段を設けることによって、外側部及び中間部を絞り込んで小さくすることができる。よって、子供の体が多くなっていっても、そのまま利用することができるおむつが提供されることとなり、経済的である。
【００１５】
縦長管状部や止め部材、縦長状部材といった簡易な構成で、体の大きさの変化に対応することができる。よって、安価であり、かつ長期間使用可能なおむつが提供されることとなる。外側部を綿製にすれば、安価で多彩な絵柄が容易に提供される。中間部と縁辺間隙部とを同一の生地から形成することによって、水分が外側に浸透するのをより防止することができると共に、裁断工程が減る分コストダウンが期待できる。また、吸水パッドを用いれば、さらに、水分が外側に浸透するのを防止することができる。開口部を設けて、吸水パッドを出し入れ可能にすれば、洗濯がしやすくなったり、おむつ自体が乾きやすくなったりといったメリットがある。逆に、吸水パッドを固定的に取り付けることによって、吸水パッドを出し入れする手間を省略することができる。縁辺間隙部をギャザー状に形成することによって、太もも部分の伸縮に応じて、縁辺間隙部を伸縮させることができるので、締め付けによる不快感を軽減することができる。中間部がさらに透湿性を有するようにすれば、おむつ内の蒸れを防止することができる。縁辺間隙部で使用されている非浸透性素材と中間部で使用されている非浸透性素材とを相異なる素材であるとすれば、たとえば、縁辺間隙部をソフト感を有する柔らかく肌触りの良いものにすることができ、結果、快適感が得られることとなる。
【００１６】
多彩な絵柄が提供されることによって、布おむつユーザの増加が最終的には期待でき、極めて有用である。
【００１７】
本考案のこれらおよび他の目的、特徴、局面、効果は、添付図面と照合して、以下の詳細な説明から一層明らかになるであろう。
【図面の簡単な説明】
【００１８】
【図１】本考案の実施形態に係るおむつ１の内側を示す図
【図２】おむつ１の外側を示す図
【図３】おむつ１の斜視図
【図４】図１におけるＢ−Ｂ断面の一部を示す概略断面図
【図５】内側部２、中間部１１、外側部３、及び縁辺間隙部４ａ，４ｂの他の断面構造の一部を示す概略断面図
【図６】本考案の他の実施形態に係るおむつ１００の内側を示す図
【図７】おむつ１００の外側を示す図
【図８】縦長状部材２２を縦長管状部２０から引っ張り出して、ある一つの係止部２３を止め部材２１に掛けたときのおむつ１００の外側を示す図
【図９】特許文献１に記載されているおむつ９０を示す図
【図１０】図６におけるＡ−Ａ断面における構造を示す概略断面図
【図１１】本考案者が試作したおむつ８０の断面構造の一部を示す図
【考案を実施するための形態】
【００１９】
図１は、本考案の実施形態に係るおむつ１の内側を示す図である。図２は、おむつ１の外側を示す図である。図３は、おむつ１の斜視図である。図４は、図１におけるＢ−Ｂ断面の一部を示す概略断面図である。断面構造は、概ね左右対称に表れるので、図４では、左側の断面構造のみ記載している。
【００２０】
おむつ１は、内側部２と、外側部３と、中間部１１と、縁辺間隙部４ａ，４ｂとを備える。内側部２は、綿など、水分を浸透させることができる生地からなる。内側部２は、乳幼児や高齢者等の肛門及び陰部側となる。外側部３は、内側部２の外側に設けられており、おむつ１の外側となる。外側部３は、綿など、絵柄が豊富に製造されている生地からなる。ただし、外側部３の素材は、本考案において特に限定されるものではなく、水分を浸透させる素材であってもよいし、防水性や撥水性を有する水分を浸透させない非浸透性素材であってもよい。内側部２と外側部３とは、略同一の形状を有する。
【００２１】
中間部１１は、内側部２と外側部３との間に設けられている。中間部１１は、ナイロンやポリエステル等の防水性や撥水性を有する非浸透性素材からなる。中間部１１は、少なくとも肛門及び陰部周辺における外側部３の縁辺部分で、外側部３と縫い合わされて接合している。製造の容易さやデザイン性を考慮すると、中間部１１と外側部３とは略同一の形状であって、外側部３の縁辺と中間部１１の縁辺とが縫い合わされているとよい。ただし、中間部１１は、排泄物１０からの水分が外側部３に浸透することを防止するために設けられるので、肛門及び陰部周辺にだけ設けられていてもよい。すなわち、本考案において、おむつ１を取り付けたときに、腰部分に位置するところ(２ａ，３ａ)にまで、中間部１１が設けられていることは必須ではない。
【００２２】
縁辺間隙部４ａ，４ｂは、少なくとも肛門及び陰部周辺における内側部２の縁辺部分において、内側部２と縫い合わされて接合している。これにより、縁辺間隙部４ａ，４ｂは、両足の内もも側に設けられることとなる。縁辺間隙部４ａ，４ｂは、非浸透性素材からなる。図４に示すように、縁辺間隙部４ａ，４ｂは、中間部１１とは別の部材である。縁辺間隙部４ａ，４ｂは、糸１４によって、外側部３及び中間部１１と接合されることとなる。縁辺間隙部４ａ，４ｂは、肛門及び陰部周辺における縁辺部分で内側部２と外側部３とが直接接触しないような幅を有する。たとえば、縁辺間隙部４ａ，４ｂは、吸水パッド５の厚さ程度の幅を有する。
【００２３】
外側部３は、両足の内もも部分に当たる箇所に、伸縮自在なギャザー部８ａ，８ｂを含む。また、内側部２も、両足の内もも部分に当たる箇所に、伸縮自在なギャザー部１６ａ，１６ｂを含む。なお、ギャザー部８ａ，８ｂとギャザー部１６ａ，１６ｂとは、どちらか一方が設けられているのでもよい。
【００２４】
図４に示すように、内側部２と縁辺間隙部４ｂとがゴム１３を包むように糸１５で縫い合わされることによって、内側部２と縁辺間隙部４ｂとが縫い合わされ、ギャザー部１６ｂが形成される。同様にして、ギャザー部１６ａも形成される。また、外側部３と中間部１１とがゴム１２を包むように糸１４で縫い合わされることによって、外側部３と中間部１１とが縫い合わされ、ギャザー部８ｂが形成される。同様にして、ギャザー部８ａも形成される。ギャザー部８ａ，８ｂ，１６ａ，１６ｂによって、太ももの太さの大小にかかわらず、おむつ１を身体に密着させることができ、排泄物の外部への露出を防止できる。ギャザー部８ａ，８ｂ，１６ａ，１６ｂの伸縮に併せて、縁辺間隙部４ａ，４ｂも伸縮できるように、縁辺間隙部４ａ，４ｂは、ひだ状に縫いつけられて、ギャザー状になっている。
【００２５】
内側部２は、腰に巻き付けられる部分に帯状部２ａ，３ａを含む。外側部３も、腰に巻き付けられる部分に帯状部２ａ，３ａを含む。なお、帯状部２ａ及び３ａの形状は、図示した例に限られるものではなく、たとえば、楕円形状等であってもよい。内側部２側の帯状部２ａには、雄側の面ファスナー７ｂが取り付けられている。外側部３側の帯状部３ａには、雌側の面ファスナー９が取り付けられている。おむつ１を臀部に巻き付ける際、面ファスナー７ｂを面ファスナー９に貼り合わせて、帯状部２ａ及び３ａを腰に巻き付ける。なお、内側部２は、面ファスナー７ｂの隣に、雌の面ファスナー７ａを取り付けている。洗濯時、面ファスナー７ｂと７ａと貼り合わせることによって、面ファスナー７ｂに糸くず等が絡むのを防止することができる。なお、スナップなどによって、おむつ１を臀部に巻き付けても良い。
【００２６】
外側部３は、帯状部２ａの縁辺の一部分に、ギャザー部８ｃを含む。ギャザー部８ｃの内部には、伸縮自在なゴム（図示せず）が縫い込まれている。ギャザー部８ｃによって、腰回りの大小にかかわらず、おむつ１を確実に取り付けることができる。
【００２７】
内側部２、中間部１１、及び外側部３は、開口部６以外の箇所では縁辺部分で縫い合わされている。開口部６では、中間部１１と外側部３とは縫い合わされているが、中間部１１と内側部２とは縫い合わされていない。吸水パッド５は、綿やマイクロファイバーなど、吸水性に富んだ素材からなる。吸水パッド５は、開口部６を介して、内側部２と中間部１１との間に出し入れされる。なお、開口部６を設けずに、吸水パッド５を内側部２又は中間部１１に固定して取り付け、吸水パッド５を出し入れできないようにしてもよい。なお、吸水パッド５は、少なくとも肛門及び陰部を覆うような大きさであればよい。なお、内側部２をタオル地などの厚手の吸水生地を用いて形成し、内側部２だけで水分を浸透させる場合、吸水パッド５を用いなくても良い。
【００２８】
図３に示すように、内側部２の一部に排泄物１０が排泄されたと想定して、水分の浸透経路を図４を参照しながら説明する。図４の矢印Ｘに示すように、排泄物１０の水分は、内側部２を介して、吸水パッド５にまで浸透する。また、矢印Ｙに示すように、排泄物１０の水分は、内側部２の縁辺方向にも浸透するが、非浸透性素材からなる縁辺間隙部４ｂが存在するので、外側部３にまで進むことなく吸水パッド５側に浸透する。吸水パッド５は、水分を包含したとしても、外側部３の内側に非浸透性素材からなる中間部１１が存在するので、吸水パッド５が包含する水分は、外側にまで浸透することはない。排泄後は、吸水パッド５及び／又はおむつ１を洗濯することによって、おむつ１を再利用することができる。
【００２９】
このように、本考案の実施形態では、外側部３と中間部１１とを別な生地を用いて形成することができる。したがって、外側部３に絵柄が豊富に存在する安価な生地を用いることができる。加えて、内側部２と外側部３とを直接接触させない縁辺間隙部４ａ，４ｂを設けることによって、内側部２に浸透した水分が外側に漏れるのを遮断することができる。よって、外側にまで水分を浸透させることなく、かつ安価で多彩な絵柄を提供することができるおむつ１が提供されることとなる。
【００３０】
なお、内側部２、中間部１１、外側部３、及び縁辺間隙部４ａ，４ｂの断面構造は、図４に示した例に限られるものではない。図５は、内側部２、中間部１１、外側部３、及び縁辺間隙部４ｂ（４ａ）の他の断面構造の一部を示す概略断面図である。図５に示すように、中間部１１と縁辺間隙部４ｂ（４ａ）とを同一の生地にすることによって、中間部１１と縁辺間隙部４ｂ（４ａ）とを接合してもよい。中間部１１と縁辺間隙部４ｂ（４ａ）とを同一の生地にすることによって、吸水パッド５からしみ出す水分が外部に浸透するのをより確実に遮断することができる。
【００３１】
なお、中間部１１と縁辺間隙部４ａ，４ｂとは、同一の素材であることに限られない。たとえば、中間部１１は、非浸透性素材であり、かつ透湿性を有する素材であるとよい。透湿性素材は、水滴は通さないので、非浸透性を有するが、水蒸気は通すので、湿度を上昇させない透湿性を有する。たとえば、水蒸気よりも大きく水滴よりも小さい孔を多数持つ素材は、透湿性素材となる。たとえば、高密度織物に撥水処理を施すことによって、透湿性であり非浸透性である素材を製造することができる。これにより、おむつ１の中が蒸れるのを防止することができ、快適感が得られる。
【００３２】
なお、縁辺間隙部４ａ，４ｂで使用されている非浸透性素材と、中間部１１で使用されている非浸透性素材とは、相異なる素材であってもよい。たとえば、縁辺間隙部４ａ，４ｂで使用される非浸透性素材は、中間部１１で使用されている非浸透性素材に比べて、柔らかかったり、肌触りが良かったり、すなわち、ソフトに感じるものであれば良い。縁辺間隙部４ａ，４ｂは、直接皮膚に接触する可能性があるので、より、ソフト感を得られる素材の方が、快適感が得られる。
【００３３】
図６は、本考案の他の実施形態に係るおむつ１００の内側を示す図である。図７は、おむつ１００の外側を示す図である。図６及び図７において、おむつ１と同様の機能を有する部分については、同一の参照符号を付し、説明を省略する。また、図６において、破断線Ｌによって、内側部２を破断して、中間部１１の表面が図面上視認されるように図示している。破断線Ｌによって、中間部１１に設けられた縦長管状部２０、止め部材２１、縦長状部材２２、及び係止部２３を示す。
【００３４】
縦長管状部２０は、帯状の生地であって、縦長状部材２２を出させるための一方端以外が中間部１１に縫いつけられている。縦長管状部２０は、非浸透性素材であってもよし、浸透性素材であってもよい。なお、縦長管状部２０を中間部１１に縫いつける場合、排泄物の浸透を考慮すると、縦長管状部２０は、非浸透性素材であるとよい。
【００３５】
縦長状部材２２は、たとえば、帯状のゴムなど、伸縮自在な素材である。ただし、縦長状部材２２は、伸縮自在な素材に限られない。縦長状部材２２の一端２２ａは、中間部１１及び／又は縦長管状部２０に縫いつけられている。縦長状部材２２は、長手方向に複数の係止部２３を有する。係止部２３は、ボタン穴である。止め部材２１は、円形のボタンである。係止部２３を止め部材２１に掛けることができる。
【００３６】
図８は、縦長状部材２２を縦長管状部２０から引っ張り出して、ある一つの係止部２３を止め部材２１に掛けたときのおむつ１００の外側を示す図である。図８に示すように、係止部２３を止め部材２１に掛けることによって、外側部３及び中間部１１の少なくとも一部（ここでは、肛門及び陰部部分）を身体の前後方向（陰部から肛門への方向）に絞り込むことができる。したがって、縦長管状部２０、止め部材２１、縦長状部材２２、及び係止部２３は、外側部３及び中間部１１の少なくとも一部を身体の前後方向に絞り込むための絞り込み手段として機能する。外側部３及び中間部１１を絞り込むことによって、肛門及び陰部部分を小さくすることができる。よって、おむつ１００を大きめに製造しておき、当初は、絞り込み手段を利用して、肛門及び陰部部分を小さくして使用することができる。乳幼児が大きくなってくるにつれて、徐々に止め部材２１に引っかける係止部２３の位置をずらしていき、肛門及び陰部部分を徐々に大きくしていくことができる。これにより、乳幼児の体が多くなっていっても、そのまま利用することができるおむつが提供されることとなり、経済的である。
【００３７】
小さい乳幼児に対して、絞り込み手段を利用して肛門及び陰部部分を絞り込んだ場合、面ファスナー７ａ及び７ｂと面ファスナー９との接合では、ウエスト部分をしっかり締めることができない場合がある。そこで、面ファスナー２４と面ファスナー７ｂとを接合することによって、小さい子供に対してもウエスト部分をしっかり締めることができる。
【００３８】
なお、上記絞り込み手段の構造は、一例に過ぎない。たとえば、止め部材２１及び係止部２３として、スナップを用いることができる。また、縦長管状部２０は、外側部３の外側（外部から視認できる側）又は内側（外側部３と中間部１１との間）に設けられていてもよい。また、縦長管状部２０は、中間部１１の内側（外側部３と中間部１１との間）に設けられていてもよい。さらに、縦長管状部２０は、略平行に二つ以上設けられていてもよい。また、係止部２３を設けずに、止め部材２１に縦長状部材２２を結びつけることによっても、絞り込み手段を実現できる。
【００３９】
以上、本考案を詳細に説明してきたが、前述の説明（たとえば、形状や素材など）はあらゆる点において本考案の例示にすぎず、その範囲を限定しようとするものではない。本考案の範囲を逸脱することなく種々の改良や変形を行うことができることは言うまでもない。
【産業上の利用可能性】
【００４０】
本考案は、乳幼児又は高齢者向けの製品等の分野において有用である。
【符号の説明】
【００４１】
１，１００  おむつ
２  内側部
２ａ，３ａ  帯状部
３  外側部
４ａ，４ｂ  縁辺間隙部
５  吸水パッド
６  開口部
７ａ，７ｂ，９，２４  面ファスナー
８ａ，８ｂ，８ｃ，１６ａ，１６ｂ  ギャザー部
１０  排泄物
１１  中間部
１２，１３  ゴム
１４，１５  糸
２０  縦長管状部
２１  止め部材
２２  縦長状部材
２３  係止部
【図１】
0003166011.tif 000003
【図２】
0003166011.tif 000004
【図３】
0003166011.tif 000005
【図４】
0003166011.tif 000006
【図５】
0003166011.tif 000007
【図６】
0003166011.tif 000008
【図７】
0003166011.tif 000009
【図８】
0003166011.tif 000010
【図９】
0003166011.tif 000011
【図１０】
0003166011.tif 000012
【図１１】
0003166011.tif 000013